(57)【特許請求の範囲】
【請求項１】
カメラ、発光素子、スピーカ、集音マイクその他の電気回路部品を収容するために設けられ、前記カメラが設けられる領域に開口部を有する子器本体ケースと、前記開口部に装着されるカバー体とを備えたカメラ付きドアホン子器において、
上記カバー体は、上側面部と正面部とを備えた断面視略Ｌ字形状に形成され、且つ、透明の可視光透過部と赤外光を透過すると共に子器本体ケース内が外部から見え難い有色のスモーク部とで２色成形されており、
前記スモーク部は、少なくとも前記カメラのレンズ部と対応する位置に開設された開口部を有する枠体形状に成形され、
前記可視光透過部は、前記スモーク部の開口部を塞ぐように成形され、少なくとも前記カバー体の上側面部はスモーク部であることを特徴とするカメラ付きアホン子器。
【請求項２】
請求項１において、
上記カバー体は、ブルーのスモーク部と、無色透明な可視光透過部とを、各々別成形し、これを一体化して２色成形しているカメラ付きドアホン子器。
【請求項３】
請求項１又は２の何れかにおいて、
上記子器本体ケースの開口部は、正面から上側面の領域に開設すると共に、
上記カバー体は、上側面部と正面部とを備えた断面視略Ｌ字形状に形成し、
このカバー体を子器本体ケースの開口部に取り付けた際には、子器本体ケースの上側面の領域にも、カバー体が形成され、且つ、
上記カバー体の裏面には、上側面部、上側面部から正面部をまたぐ位置及び正面部に四角枠形状のリブを突設すると共に、
上記子器本体ケースの開口部の周縁には、前記カバー体のリブを受けるリブ受けを形成し、
上記カバー体のリブと、子器本体ケースのリブ受けには、当接可能な平面部が形成され、この平面部で溶着されているカメラ付きドアホン子器。
【請求項４】
請求項１又は２の何れかにおいて、
上記子器本体ケースの開口部は、正面から上側面の領域に開設すると共に、
上記カバー体は、上側面部と正面部とを備えた断面視略Ｌ字形状に形成し、
このカバー体を子器本体ケースの開口部に取り付けた際には、子器本体ケースの上側面の領域にも、カバー体が形成されるようにした、カメラ付きドアホン子器。
【請求項５】
請求項１〜４の何れかにおいて、
前記カバー体は、子器本体ケースの正面からその上側面に移行するコーナ部の内表面側に、前記カメラが撮像する映像に線模様が形成されるのを防止するための緩やかな曲面を備えるカメラ付きドアホン子器。
【請求項６】
請求項１〜５の何れかにおいて、
前記カバー体は、前記発光素子が外部から見えないようにするためのスモーク部と、
可視光透過部とを備え、
前記スモーク部は、その中央に開口部を有する枠体形状をしており、
前記可視光透過部が、前記枠体形状のスモーク部の開口部を塞ぐように一体成形されているカメラ付きドアホン子器。
【請求項７】
請求項１〜５の何れかにおいて、
前記カバー体は、前記発光素子が外部から見えないようにするためのスモーク部と、
可視光透過部とを備え、
前記スモーク部は、その中央に開口部を有する枠体形状をしており、
前記可視光透過部が、前記枠体形状のスモーク部を覆うように、且つ、前記枠体形状のスモーク部の開口部を塞ぐように一体成形されているカメラ付きドアホン子器。
【請求項８】
請求項１〜５の何れかにおいて、
前記発光素子が赤外線発光ダイオードであり、且つ、前記カメラがカラー撮像用であるカメラ付きドアホン子器。
【発明の詳細な説明】
【０００１】
【発明の属する技術分野】
本発明は、カメラ付きドアホン子器に関し、詳しくは、カメラ付きドアホン子器内のカメラの前方に設けられたカバー体は、このカメラのレンズ部と対応する部分だけを透明の可視光透過部に形成し、それ以外を有色のスモーク部に形成した２色成形されているカメラ付きドアホン子器に関する。
【０００２】
【従来の技術】
図６は、従来のドアホン子器を概略的に示す斜視図である。
【０００３】
このカメラ付きドアホン子器１０１は、住戸の扉の近傍に取り付けられるものであり、カメラ、発光素子、スピーカ、集音マイクその他の電気回路部品を収容する子器本体ケース１０２を備える。
【０００４】
１０３は、子器本体ケース１０２内に収容されているカメラを、１０７は、暗視ＬＥＤなどの発光素子を示している。
【０００５】
子器本体ケース１０２は、カメラ１０３及び発光素子１０７が設けられる領域に開口部ｈ１０２を有する。
【０００６】
この開口部ｈ１０２は、子器本体ケース１０２の正面Ｓ１０２ａに設けられている。
【０００７】
この開口部ｈ１０２には、カバー体１０４が、カメラ１０３及び発光素子１０７を覆うように設けられている。
【０００８】
カバー体１０４は、防犯上或いはデザイン上などの理由により、内部に設けたカメラ１０３及び発光素子１０７などが外部から出来る限り見え難く形成しており、カメラ１０３の撮像種類に応じた２種類のものがある。
【０００９】
一つは、カメラ１０３が白黒の撮像用である場合であって、この場合は、カバー体１０４の全面を、子器本体ケース１０２内を外部から見え難くするための赤外線透過のブルースモークで形成している。
【００１０】
今一つは、カメラ１０３がカラーの撮像用である場合であって、この場合は、カバー体１０４のうち、少なくともカメラ１０３のレンズ部１０３ａが対応する前面部１０４ａだけは、透明に形成する必要がある。
【００１１】
そのため、カバー体１０４全体を透明なアクリル板で先ず成形すると共に、その前面部１０４ａだけを除く部分には、カバー体１０４の内部を見え難くするために赤外線透過インクを印刷して形成していた。
【００１２】
なお、図６中、１０５で示す部材装置は、呼出しボタンを、また、１０６は、スピーカを、各々、示している。
【００１３】
次に、このカメラ付きドアホン子器１０１の動作について説明する。
【００１４】
このカメラ付きドアホン子器１０１では、訪問客が、呼出しボタン１０５を押し操作すると、住戸内に設けられる親機（図示せず。）の呼出装置が鳴動するとともに、カメラ１０３がオンとなり、住戸内に設けられる親機（図示せず。）のモニターテレビ（図示せず。）に、カメラ１０３が撮像した映像が映し出されるようになっている。
【００１５】
また、住戸人が、親機（図示せず。）のモニターテレビ（図示せず。）の通話ボタン（図示せず。）を押し操作した後、親機（図示せず。）に向かって、訪問客に対して応答すると、その音声が、親機（図示せず。）に設けられている、集音マイク（図示せず。）によって拾われるが、この集音マイク（図示せず。）によって拾われた音声が、カメラ付きドアホン子器１０１に設けられているスピーカ１０６から出力されるようになっている。
【００１６】
また、訪問客が、来訪の旨を告げると、カメラ付きドアホン子器１０１に設けられている集音マイク（図示せず。）が、この音声を拾い、この音声が、親機（図示せず。）のスピーカ（図示せず）から出力されるようになっている。
【００１７】
また、住戸人が、住戸の扉付近の様子を知りたいときには、親機（図示せず。）に設けられているモニターボタン（図示せず。）を押し操作すると、所定時間、カメラ付きドアホン子器１０１に設けられているカメラ１０３及び親機（図示せず。）に設けられているモニターテレビ（図示せず。）の各々が通電状態になり、カメラ１０３が撮像した映像が、モニターテレビ（図示せず。）に、所定時間、映し出されるようになっている。
【００１８】
また、親機（図示せず。）がハンズフリーの場合には、住戸人が、親機（図示せず。）に設けられている通話ボタン（図示せず。）を押し操作した後、親機（図示せず。）に向かって、訪問客に対して応答すると、その音声が、親機（図示せず。）に設けられている、集音マイク（図示せず。）によって拾われるが、この集音マイク（図示せず。）によって拾われた音声が、カメラ付きドアホン子器１０１に設けられているスピーカ１０６から出力されるようになっている。
【００１９】
また、親機（図示せず。）がハンドセット（図示せず。）を有する場合には、住戸人が、ハンドセット（図示せず。）を取り上げ、ハンドセット（図示せず。）に向かって、訪問客に対して応答すると、その音声が、ハンドセット（図示せず。）の送話器（図示せず。）によって拾われ、この送話器（図示せず。）が拾った音声が、カメラ付きドアホン子器１０１に設けられているスピーカ１０６から出力されるようになっている。
【００２０】
また、住戸人が、住戸の扉付近の様子を知りたいときには、親機（図示せず。）のハンドセット（図示せず。）を取り上げる（オフフックする）と、カメラ付きドアホン子器１０１に設けられているカメラ１０３及び親機（図示せず。）に設けられているモニターテレビ（図示せず。）の各々が通電状態になり、カメラ１０３が撮像した映像が、モニターテレビ（図示せず。）に、所定時間、映し出されるようになっている。尚、ハンドセット（図示せず。）を、所定時間内に、元に戻す（オンフックする）と、カメラ１０３がオフし、モニターテレビ（図示せず。）もオフするようになっている。
【００２１】
【発明が解決しようとする課題】
しかしながら、従来のカメラ付きドアホン子器１０１では、カメラ１０３がカラー撮像用の場合には、カバー体１０４全体を透明なアクリル板で先ず成形すると共に、その前面部１０４ａだけを除く部分には、カバー体１０４の内部を見え難くするために赤外線透過インクを印刷して形成していた。
【００２２】
そのため、印刷されるカバー体１０４の表面は、印刷技術上、平面に形成しておかなければならないという制約をうけ、曲面に形成できないためにカメラ付きドアホン子器１０１のデザイン上にも制約を受けるという問題があった。
【００２３】
また、印刷による手間な加工を施すことで、製造コストも高くなるだけでなく、印刷面が剥がれるなどの耐久性にも問題があった。
【００２４】
本発明は、以上のような問題を解決するためになされたものであって、カバー体に印刷を施すことなくカメラのレンズ部と対応する部分だけを透明の可視光透過部に形成し、それ以外を有色のスモーク部に形成した２色成形にして、複雑な形状のカバー体を成形可能とし、しかもコストダウンが図れると共に、耐久性の高いカメラ付きドアホン子器を提供する。
【００２５】
【課題を解決するための手段】
請求項１に記載のカメラ付きドアホン子器は、カメラ、発光素子、スピーカ、集音マイクその他の電気回路部品を収容するために設けられ、前記カメラが設けられる領域に開口部を有する子器本体ケースと、前記開口部に装着されるカバー体とを備えたカメラ付きドアホン子器において、上記カバー体は、上側面部と正面部とを備えた断面視略Ｌ字形状に形成され、且つ、透明の可視光透過部と赤外光を透過すると共に子器本体ケース内が外部から見え難い有色のスモーク部とで２色成形されており、前記スモーク部は、少なくとも前記カメラのレンズ部と対応する位置に開設された開口部を有する枠体形状に成形され、前記可視光透過部は、前記スモーク部の開口部を塞ぐように成形され、少なくとも前記カバー体の上側面部はスモーク部であることを特徴とする。
【００２６】
ここで、２色成形とは、印刷を施すことなくカバー体を透明な可視光透過部と、有色のスモーク部との２色に一体的に成形することを意味する。
【００２７】
このカメラ付きドアホン子器では、カバー体は、有色のスモーク部と透明の可視光透過部とで２色成形しているので、このカバー体をＲ形状等の複雑なデザインにも対応して成形できる。
【００２８】
そのため、スモーク部に印刷を施す必要がなく、コストダウンを図れると共に、その耐久性を高めることができる。
【００２９】
請求項２に記載のカメラ付きドアホン子器は、請求項１において、上記カバー体は、ブルーのスモーク部と、無色透明な可視光透過部とを、各々別成形し、これを一体化して２色成形している。
【００３０】
このカメラ付きドアホン子器では、スモーク部と可視光透過部とを、各々別成形したうえで、これを一体化して２色成形にしているので、各々の加工を容易にでき、また、いろんな色の組み合わせが容易にできる。
【００３１】
請求項３に記載のカメラ付きドアホン子器は、請求項１又は２の何れかにおいて、上記子器本体ケースの開口部は、正面から上側面の領域に開設すると共に、上記カバー体は、上側面部と正面部とを備えた断面視略Ｌ字形状に形成し、このカバー体を子器本体ケースの開口部に取り付けた際には、子器本体ケースの上側面の領域にも、カバー体が形成され、且つ、上記カバー体の裏面には、上側面部、上側面部から正面部をまたぐ位置及び正面部に四角枠形状のリブを突設すると共に、上記子器本体ケースの開口部の周縁には、前記カバー体のリブを受けるリブ受けを形成し、上記カバー体のリブと、子器本体ケースのリブ受けには、当接可能な平面部が形成され、この平面部で溶着されている。
【００３２】
このカメラ付きドアホン子器では、カバー体の裏面に設けたリブと、子器本体ケースの開口部周縁に設けたリブ受けに、当接可能な平面部が形成されており、この平面部を溶着している。
【００３３】
また、リブ及びリブ受けは、カバー体の上側面部、上側面部から正面部をまたぐ位置、及び正面部に設けている。
【００３４】
そのため、カバー体は、子器本体ケースの開口部に対して、２方向以上を溶着できるので、複雑な形状のカバー体であっても、その全周を確実に溶着できる。
【００３５】
したがって、カバー体の溶着強度を強くでき、防水性を高めることができる。
【００３６】
請求項４に記載のカメラ付きドアホン子器は、請求項１又は２の何れかにおいて、上記子器本体ケースの開口部は、正面から上側面の領域に開設すると共に、上記カバー体は、上側面部と正面部とを備えた断面視略Ｌ字形状に形成し、このカバー体を子器本体ケースの開口部に取り付けた際には、子器本体ケースの上側面の領域にも、カバー体が形成されるようにした。
【００３７】
このカメラ付きドアホン子器では、子器本体ケースの正面から上側面にかけて、カバー体を設けるようにしているので、カバー体を子器本体ケースの正面方向にのみ設けたカメラ付きドアホン子器に比べ、カメラ付きドアホン子器に内蔵したカメラの撮像視野を広範囲にすることができる。
【００３８】
請求項５に記載のカメラ付きドアホン子器は、請求項１〜４の何れかにおいて、前記カバー体は、子器本体ケースの正面からその上側面に移行するコーナ部の内表面側に、前記カメラが撮像する映像に線模様が形成されるのを防止するための緩やかな曲面を備える。
【００３９】
このカメラ付きドアホン子器では、カバー体は、子器本体ケースの正面からその上面側面部に移行するコーナ部の内表面側に、カメラが撮像する映像に線模様が形成されるのを防止するための緩やかな曲面を設けているので、カメラが、このコーナ部を通して撮像した映像に、線模様が形成されない。
【００４０】
この結果、このカメラ付きドアホン子器を親機に接続し、親機のモニターテレビに、このカメラ付きドアホン子器に内蔵したカメラが撮像した映像を映し出した場合に、モニターテレビに映し出される映像に、線模様が現れず、来訪者の顔などが、つぶれたりすることなく、はっきり判るように映し出される。
【００４１】
請求項６に記載のカメラ付きドアホン子器は、請求項１〜５の何れかにおいて、前記カバー体は、前記発光素子が外部から見えないようにするためのスモーク部と、可視光透過部とを備え、前記スモーク部は、その中央に開口部を有する枠体形状をしており、前記可視光透過部が、前記枠体形状のスモーク部の開口部を塞ぐように一体成形されている。
【００４２】
このカメラ付きドアホン子器では、カメラ付きドアホン子器に内蔵される発光素子をスモーク部により外側から見えないようにしているので、美観に優れている。のみならず、スモーク部と可視光透過部とを一体成形しているので、カバー体の各々に、スモークシートを貼着するようにした場合に比べ、カメラ付きドアホン子器の組立作業者の組立作業を、カバー体の各々に、スモークシートを貼着しなくてよいようにした分、軽減できる。
【００４３】
請求項７に記載のカメラ付きドアホン子器は、請求項１〜５の何れかにおいて、前記カバー体は、前記発光素子が外部から見えないようにするためのスモーク部と、可視光透過部とを備え、前記スモーク部は、その中央に開口部を有する枠体形状をしており、前記可視光透過部が、前記枠体形状のスモーク部を覆うように、且つ、前記枠体形状のスモーク部の開口部を塞ぐように一体成形されている。
【００４４】
このカメラ付きドアホン子器では、可視光透過部が、枠体形状のスモーク部を覆うように、且つ、枠体形状のスモーク部の開口部を塞ぐように一体成形しているので、カバー体の表面が、可視光透過部によって万遍なく覆われ、可視光透過部とスモーク部との界面が、外部に露呈せず、カバー体を観る人は、スモーク部を、可視光透過部を介して外部から見えるスケルトンとして認識するため、このカバー体を採用したカメラ付きドアホン子器は、美観に優れている。
【００４５】
請求項８に記載のカメラ付きドアホン子器は、請求項１〜５の何れかにおいて、前記発光素子が赤外線発光ダイオードであり、且つ、前記カメラがカラー撮像用である。
【００４６】
このカメラ付きドアホン子器では、発光素子を点灯しない際には、カメラの撮像をそのままカラー画像として画面上に写し出し、一方、発光素子を点灯する際には、カメラの撮像を白黒画像にして画面上に写し出すことができる。
【発明の実施の形態】
以下、本発明を図面に基き説明する。
【００４７】
図１は、本発明に係るカメラ付きドアホン子器を概略的に示す図であり、図１（ａ）は、本発明に係るカメラ付きドアホン子器の要部を説明するために、カバー体を、子器本体ケースから分離した状態で示す分解斜視図、図１（ｂ）は、カバー体を中央で縦断した拡大縦断面図である。
【００４８】
また、図２は、カバー体を裏面から見た斜視図である。
【００４９】
このカメラ付きドアホン子器１は、住戸の扉の近傍に取り付けられるものであり、カメラ、発光素子、スピーカ、集音マイクその他の電気回路部品を収容する子器本体ケース２を備える。
【００５０】
３で示す部材装置は、子器本体ケース２内に収容されているカメラを示しており、３ａは、レンズ部を示している。カメラ３としては、例えば、カラー撮像又は白黒撮像用のＣＣＤカメラ（固体撮像装置）等が用いられている。
【００５１】
子器本体ケース２は、カメラ３及び発光素子７が設けられる領域に開口部ｈ２を有する。
【００５２】
この開口部ｈ２は、子器本体ケース２の正面Ｓ２ａからその上側面Ｓ２ｂの領域にかけて形成されている。
この開口部ｈ２には、カメラ３及び発光素子７を覆うようにカバー体４が装着されている。
【００５３】
なお、５で示す部材装置は、呼出しボタンを、また、６は、スピーカを各々示している。
【００５４】
本発明は、図１（ｂ）で示すように、カバー体４をスモーク部４ｂと可視光透過部４ａとで２色成形していることに特徴がある。
【００５５】
ここで、２色成形とは、印刷を施すことなくカバー体４を無色透明な可視光透過部４ａと、有色のスモーク部４ｂとの２色に一体的に成形することを意味する。
【００５６】
そのため、カバー体４には、スモーク部４ｂを印刷する必要がなく、Ｒ形状等の複雑なデザインにも対応して成形でき、コストダウンを図れると共に、その耐久性をも高めることができる。
【００５７】
また、カメラ３のレンズ部３ａは、可視光透過部４ａを通じて外部の様子を撮るので、カメラ３がカラー撮像用であっても撮像可能である。
【００５８】
以下、カバー体４について詳説する。
【００５９】
図１（ａ）、（ｂ）で示すように、カバー体４は、上側面部４１と正面部４２とを備えた断面視略Ｌ字形状に形成し、これを子器本体ケース２の開口部ｈ２に装着した際に、子器本体ケース２の上側面Ｓ２ｂの領域にも、カバー体４が形成されるようにしている。
【００６０】
そのため、子器本体ケース２の正面Ｓ２ａから上側面Ｓ２ｂにかけての撮像を可能とし、従来のカメラ付きドアホン子器（１０１）に比べ、内蔵したカメラ３の撮像視野を広範囲にできる。
【００６１】
また、カバー体４は、子器本体ケース２内が外部から見え難い有色のスモーク部４ａと、少なくともカメラ３のレンズ部３ａと対応する位置に透明の可視光透過部４ｂとが形成されている。
【００６２】
ここでは、赤外線を透過するブルースモーク材でスモーク部４ａを成形し、無色透明な樹脂材で可視光透過部４ｂを各々別成形し、これを溶着、接着等で一体化している。
【００６３】
このように、各々別成形したうえで、これを一体化して２色成形にしているので、各々の加工を容易にでき、また、いろんな色の組み合わせが容易にできる。
【００６４】
具体的には、カバー体４のスモーク部４ａは、その中央に開口部ｈ４を有する枠体形状に成形し、この開口部ｈ４を塞ぐように可視光透過部４ｂを２色成形するが、ここでは、可視光透過部４ｂが、枠体形状のスモーク部４ａを覆うように、且つ、枠体形状のスモーク部４ａの開口部ｈ４を塞ぐように一体成形されている。
【００６５】
より詳しく説明すると、このカバー体４では、可視光透過部４ｂが、枠体形状のスモーク部４ａの、カバー体４を子器本体ケース２に取り付けた後において、外側から見える側の表面を覆うように、且つ、枠体形状のスモーク部４ａの開口部ｈ４を塞ぐように一体成形されている。
【００６６】
そのため、カバー体４の表面が、可視光透過部４ｂによって万遍なく覆われ、可視光透過部４ｂとスモーク部４ａとの界面が、外部に露呈せず、カバー体４を観る人は、スモーク部４ａを、可視光透過部４ｂを介して外部から見えるスケルトンとして認識するため、このカバー体４を採用したカメラ付きドアホン子器１は、美観に優れている。
【００６７】
尚、ここでは、スモーク部４ａを、可視光透過部４ｂを介して外部から見えるスケルトンとしたカバー体４について説明したが、単純に、スモーク部４ａの開口部ｈ４を塞ぐように、可視光透過部４ｂを一体成形してもよい。
【００６８】
図３は、カバー体の他の実施例を示す概略断面図である。
【００６９】
このカバー体３は、その裏面に、上側面部４１、上側面部４１から正面部４２をまたぐ位置及び正面部４２に四角枠形状のリブ３１を突設すると共に、子器本体ケース２の開口部ｈ２の周縁には、カバー体３のリブ３１を受けるリブ受け２１を形成している。
【００７０】
そして、カバー体３のリブ３１と、子器本体ケース２のリブ受け２１には、当接可能な平面部ｆが形成され、この平面部ｆで溶着されている。
【００７１】
そのため、カバー体３は、子器本体ケース２の開口部ｈ２に対して、２方向以上を溶着できるので、複雑な形状のカバー体３であっても、その全周を確実に溶着できる。
【００７２】
したがって、カバー体３の溶着強度を強くでき、防水性を高めることができる。
【００７３】
図４は、カバー体の更に他の実施例を概略的に示す図であり、図４（ａ）は、カバー体４の好ましい形状を概略的に示す断面図であり、また、図４（ｂ）は、カバー体４のあまり好ましいとは言えない形状を概略的に示す断面図である。
【００７４】
図４（ａ）及び図１を参照しながら説明すると、カバー体４は、子器本体ケース２の正面Ｓ２ａからその上側面Ｓ２ｂに移行するコーナ部の内表面側Ｓｒｂに、カメラ３が撮像する映像に線模様が形成されるのを防止するための緩やかな曲面Ｒｂを備える。
【００７５】
この曲面Ｒｂは、子器本体ケース２の正面Ｓ２ａからその上側面Ｓ２ｂに移行するコーナ部の外表面側Ｓｒａに形成される曲面Ｒａと、概ね、同心円の関係になるように形成されている。
【００７６】
カバー体４では、子器本体ケース２の正面Ｓ２ａからその上側面Ｓ２ｂに移行するコーナ部の内表面側Ｓｒｂに、カメラ３が撮像する映像に線模様が形成されるのを防止するための緩やかな曲面Ｒｂを備える結果、図４（ｂ）に示すカバー体４Ａに生じる問題が生じない。
【００７７】
まず、図４（ｂ）に示すカバー体４Ａに生じる問題について詳述する。
【００７８】
図４（ｂ）に示すカバー体４Ａでは、カバー体４は、子器本体ケース２の正面Ｓ２ａからその上側面Ｓ２ｂに移行するコーナ部に、内表面側Ｓｒｂに、曲率の大きな曲面Ｒｃが形成されている。
【００７９】
このカバー体４Ａのように、子器本体ケース２の正面Ｓ２ａからその上側面Ｓ２ｂに移行するコーナ部の内表面側Ｓｒｂに、曲率の大きな曲面Ｒｃが形成されている場合には、発光素子７から照射される光であって、曲面Ｒｃの一方側Ｒｃ１を通過する光と、曲面Ｒｃの他方側Ｒｃ２を通過する光とは、このコーナ部において、互いに、著しく異なる方向に向けられる。
【００８０】
このようなことが原因し、発光素子７から光を照射した場合、カバー体４Ａの子器本体ケース２の正面Ｓ２ａからその上側面Ｓ２ｂに移行するコーナ部の外方において、発光素子７から照射された光が届かない部分が形成され、発光素子７を点灯して、被写体（訪問者等）を照らした場合、被写体（訪問者等）に線状の影ができる、という問題が生じる。
【００８１】
この結果、発光素子７を点灯し、被写体（訪問者等）をカメラ３で撮像した場合、カメラ３が撮像した映像をモニターテレビ（図示せず。）で見た場合には、映像中に、暗線が形成される。
【００８２】
また、曲面Ｒｃの一方側Ｒｃ１を入光する光と、曲面Ｒｃの他方側Ｒｃ２を入光する光とは、互いに、異なる方向に向けられる。
【００８３】
また、図４（ｂ）に示すカバー体４Ａでは、カバー体４Ａの子器本体ケース２の子器本体ケース２の正面Ｓ２ａからその上側面Ｓ２ｂに移行するコーナ部の肉厚に厚い部分と細い部分とが形成される。
【００８４】
このようなことが原因して、被写体（訪問者等）をカメラ３で撮像した場合、曲面Ｒｃの一方側Ｒｃ１を入光する光と、曲面Ｒｃの他方側Ｒｃ２を入光する光とは、互いに、異なる方向に向けられる結果、カメラ３によって撮像した映像は、カバー体４Ａの子器本体ケース２の正面Ｓ２ａからその上側面Ｓ２ｂに移行するコーナ部を介して撮像した部分においてゆがみが生じ、この映像をモニターテレビ（図示せず。）で見た場合には、線模様が現れず、来訪者の顔などが、つぶれたりする、という問題が生じる。
【００８５】
これに対し、図４（ａ）に示すカバー体４では、子器本体ケース２の正面Ｓ２ａからその上側面Ｓ２ｂに移行するコーナ部の内表面側Ｓｒｂに、カメラ３が撮像する映像に線模様が形成されるのを防止するための緩やかな曲面Ｒｂを備えている。このため、発光素子７から照射される光は、カバー体４は、子器本体ケース２の正面Ｓ２ａからその上側面Ｓ２ｂに移行するコーナ部において、均等に、放射線方向に曲げられる結果、カバー体４の子器本体ケース２の正面Ｓ２ａからその上側面Ｓ２ｂに移行するコーナ部の外方において、発光素子７から照射された光が届かない部分が形成されることがないため、発光素子７を発光して被写体（訪問者等）を照らした場合、被写体（訪問者等）に線状の影ができることはない。
【００８６】
この結果、発光素子７を点灯し、被写体（訪問者等）をカメラ３で撮像した場合、カメラ３が撮像した映像をモニターテレビ（図示せず。）で見た場合には、映像中に、暗線が形成されることはなく、被写体（訪問者等）がはっきりとモニターテレビ（図示せず。）に映し出される。
【００８７】
また、曲面Ｒｂから入光する光は、カバー体４の子器本体ケース２の正面Ｓ２ａからその上側面Ｓ２ｂに移行するコーナ部において、均等に、曲げられる。
【００８８】
また、図４（ａ）に示すカバー体４では、カバー体４の子器本体ケース２の子器本体ケース２の正面Ｓ２ａからその上側面Ｓ２ｂに移行するコーナ部の肉厚が同じ厚さ又は概ね同じ厚さに形成されている。
【００８９】
この結果、被写体（訪問者等）をカメラ３で撮像した場合、カメラ３によって撮像した映像は、カバー体４の子器本体ケース２の正面Ｓ２ａからその上側面Ｓ２ｂに移行するコーナ部を介して撮像した部分においてもゆがみが殆ど生じない。従って、この映像をモニターテレビ（図示せず。）で見た場合には、線模様が現れず、来訪者の顔などが、つぶれたりすることなく、被写体（訪問者等）がはっきりとモニターテレビ（図示せず。）に映し出される。
【００９０】
図５は、カメラ付きドアホン子器の内部を概略的に示す断面図である。
【００９１】
図５中、８で示す部材は、カメラ３やこのカメラ付きドアホン子器１を制御する制御装置（ＣＰＵ）（図示せず。）等が実装される回路基板を、９で示す部材は、呼出しボタン５を照らす通電ランプを、また、１０で示す部材装置は、被写体やその周辺の明るさを検出する光センサー（明るさセンサー）を、各々、示している。
【００９２】
発光素子７は、夜間になり、カメラ付きドアホン子器１の周辺が暗い時に点灯し、カメラ３が撮像する被写体（訪問者等）を照らすために設けられている。
【００９３】
また、光センサー（明るさセンサー）１０は、カメラ付きドアホン子器１の周辺の明るさを検知するものである。
【００９４】
そして、光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０が検知した情報Ｄ１０が、しきい値Ｄｔｈに比べ、明るいと判断した場合（Ｄ１０≧Ｄｔｈ）に、発光素子７を点灯しないように、制御するようになっている。
【００９５】
また、回路基板８は、回転可能に設けられており、回路基板８の角度を変えれば、カメラ３の撮像アングルを変えることができるようになっている。
【００９６】
次に、発光素子７及びカメラ３の好ましい組み合わせについて、説明する。
【００９７】
発光素子７としては、例えば、赤外線発光ダイオードを用い、且つ、カメラ３として、赤外線カメラを用いることが好ましい。
【００９８】
この場合、カバー体４のスモーク部４ａは、赤外線を透過する材料で製せられる。
【００９９】
このように、発光素子７として、赤外線発光ダイオードを用い、カメラ３として、赤外線カメラを用いた場合には、訪問者等に、訪問者等を撮像していることを気づかれることなく、訪問者等をカメラにより撮像できる。更に、カメラ３として、赤外線カメラを用いているので、赤外線発光ダイオードが発光することにより照射され訪問者等によって反射された赤外線の反射光を撮像することで、訪問者等をはっきりと撮像できる。
【０１００】
また、発光素子７としては、例えば、白色発光素子を用いてもよい。
【０１０１】
この場合、カメラ３として、カラー撮像用を用いることが好ましい。
【０１０２】
このように、発光素子７として、白色発光素子を用い、カメラ３として、カラー撮像用を用いた場合には、このカメラ付きドアホン子器１に接続する親機として、カラーモニターテレビを備えたものを用いれば、親機のモニターテレビに、訪問者等の映像をカラーで映し出すことができる。
【０１０３】
また、発光素子７としては、例えば、赤外線発光ダイオードを用い、カメラ３として、カラー撮像用を用いるようにしてもよい。
【０１０４】
発光素子７として、赤外線発光ダイオードを用い、カメラ３として、カラー撮像用を用いた場合には、光センサー（明るさセンサー）１０が検出した情報に基づいて、発光素子７を点灯しない際には、カメラ３の撮像をそのままカラー画像として親機のモニターテレビなどに写し出し、一方、発光素子７を点灯する際には、カメラ３の撮像を白黒画像にして親機のモニターテレビなどに写しだすように制御しておく。
【０１０５】
このように制御した場合には、カメラ付きドアホン子器１では、被写体（訪問者等）やその周辺が暗くて、光センサー（明るさセンサー）１０を点灯した際には、カメラ３を白黒映像に切り替えて、被写体（訪問者等）を撮像する。このため、被写体（訪問者等）やその周辺が暗く、カラー映像としては、被写体（訪問者等）を十分に撮像できないような場合にも、この映像を親機（図示せず。）のモニターテレビ（図示せず。）に、白黒映像で、はっきりと映し出すことができる。また、被写体（訪問者等）やその周辺が明るい場合には、カメラ３をカラー映像にして、被写体（訪問者等）を撮像するようにしているので、親機（図示せず。）のモニターテレビに、被写体（訪問者等）をカラー映像ではっきりと映し出すことができる。
【０１０６】
また、このカメラ付きドアホン子器１では、子器本体ケース２の正面Ｓ２ａから上側面Ｓ２ｂにかけて、カバー体４を設けるようにした結果、図３に示すように、発光素子７を、カメラ３を実装する回路基板８の上方に設けることができる。
【０１０７】
この結果、カメラ３と発光素子７との間隔を拡げることができるため、カメラ３の周辺に、発光素子７を設けていない分、空間が形成される。
【０１０８】
この結果、発光素子７を点灯するか否かのカメラ３の露光量を検出するための光センサー（明るさセンサー）１０をカメラ３の近傍位置に設けることができる。
【０１０９】
このカメラ付きドアホン子器１では、発光素子１０を、子器本体ケース２の上側面Ｓ２ｂに近い位置に設置することができるようなった結果、カメラ３の近傍に光センサー（明るさセンサー）１０を設けることができるため、カメラ付きドアホン子器１のダウンサイジングを実現できる。
【０１１０】
【発明の効果】
本発明によれば、次のような効果がある。
【０１１１】
請求項１に係るカメラ付きドアホン子器によれば、カバー体は、上側面部と正面部とを備えた断面視略Ｌ字形状に形成され、且つ、透明の可視光透過部と赤外光を透過すると共に子器本体ケース内が外部から見え難い有色のスモーク部とで２色成形されており、前記スモーク部は、少なくとも前記カメラのレンズ部と対応する位置に開設された開口部を有する枠体形状に成形され、前記可視光透過部は、前記スモーク部の開口部を塞ぐように成形され、少なくとも前記カバー体の上側面部はスモーク部であるため、このカバー体をＲ形状等の複雑なデザインにも対応して成形できる。
【０１１２】
そのため、スモーク部に印刷を施す必要がなく、コストダウンを図れると共に、その耐久性を高めることができる。
【０１１３】
請求項２に係るカメラ付きドアホン子器によれば、スモーク部と可視光透過部とを、各々別成形したうえで、これを一体化して２色成形にしているので、各々の加工を容易にでき、また、いろんな色の組み合わせが容易にできる。
【０１１４】
請求項３に係るカメラ付きドアホン子器によれば、カバー体の裏面に設けたリブと、子器本体ケースの開口部周縁に設けたリブ受けに、当接可能な平面部が形成されており、この平面部を溶着している。
【０１１５】
また、リブ及びリブ受けは、カバー体の上側面部、上側面部から正面部をまたぐ位置、及び正面部に設けている。
【０１１６】
そのため、カバー体は、子器本体ケースの開口部に対して、２方向以上を溶着できるので、複雑な形状のカバー体であっても、その全周を確実に溶着できる。
【０１１７】
請求項４に係るカメラ付きドアホン子器によれば、子器本体ケースの正面から上側面にかけて、カバー体を設けるようにしているので、カバー体を子器本体ケースの正面方向にのみ設けたカメラ付きドアホン子器に比べ、カメラ付きドアホン子器に内蔵したカメラの撮像視野を広範囲にすることができる。
【０１１８】
請求項５に係るカメラ付きドアホン子器によれば、カバー体は、子器本体ケースの正面からその上面側面部に移行するコーナ部の内表面側に、カメラが撮像する映像に線模様が形成されるのを防止するための緩やかな曲面を設けているので、カメラが、このコーナ部を通して撮像した映像に、線模様が形成されない。
【０１１９】
この結果、このカメラ付きドアホン子器を親機に接続し、親機のモニターテレビに、このカメラ付きドアホン子器に内蔵したカメラが撮像した映像を映し出した場合に、モニターテレビに映し出される映像に、線模様が現れず、来訪者の顔などが、つぶれたりすることなく、はっきり判るように映し出される。
【０１２０】
請求項６に係るカメラ付きドアホン子器によれば、カメラ付きドアホン子器に内蔵される発光素子をスモーク部により外側から見えないようにしているので、美観に優れている。のみならず、スモーク部と可視光透過部とを一体成形しているので、カバー体の各々に、スモークシートを印刷、貼着するようにした場合に比べ、カメラ付きドアホン子器の組立作業者の組立作業を軽減できる。
【０１２１】
請求項７に係るカメラ付きドアホン子器によれば、可視光透過部が、枠体形状のスモーク部を覆うように、且つ、枠体形状のスモーク部の開口部を塞ぐように一体成形しているので、カバー体の表面が、可視光透過部によって万遍なく覆われ、可視光透過部とスモーク部との界面が、外部に露呈せず、カバー体を観る人は、スモーク部を、可視光透過部を介して外部から見えるスケルトンとして認識するため、このカバー体を採用したカメラ付きドアホン子器は、美観に優れている。
【０１２２】
請求項８に係るカメラ付きドアホン子器によれば、発光素子を点灯しない際には、カメラの撮像をそのままカラー画像として画面上に写し出し、一方、発光素子を点灯する際には、カメラの撮像を白黒画像にして画面上に写し出すことができる。
【図面の簡単な説明】
【図１】本発明に係るカメラ付きドアホン子器を概略的に示す図であり、（ａ）は、本発明に係るカメラ付きドアホン子器の要部を説明するために、カバー体を、子器本体ケースから分離した状態で示す分解斜視図、（ｂ）は、カバー体を中央で縦断した拡大縦断面図
【図２】カバー体を裏面から見た斜視図
【図３】カバー体の他の実施例を示す概略断面図
【図４】カバー体の更に他の実施例を概略的に示す図であり、（ａ）は、カバー体４の好ましい形状を概略的に示す断面図、（ｂ）は、カバー体４のあまり好ましいとは言えない形状を概略的に示す断面図
【図５】カメラ付きドアホン子器の内部を概略的に示す断面図
【図６】従来のドアホン子器を概略的に示す斜視図
【符号の説明】
１    カメラ付きドアホン子器
２    子器本体ケース
３    カメラ
３ａ  レンズ部
３１  リブ
４    カバー体
４ａ  スモーク部
４ｂ  可視光透過部
４１  上側面部
４２  正面部
６    スピーカ
７    発光素子
ｈ２  （子器本体ケースの）開口部
ｈ４  （カバー体の）開口部
Ｓ２ａ  正面
Ｓ２ｂ  上側面
【図１】
0003855586.tif 000002
【図２】
0003855586.tif 000003
【図３】
0003855586.tif 000004
【図４】
0003855586.tif 000005
【図５】
0003855586.tif 000006
【図６】
0003855586.tif 000007